(57)【要約】      （修正有）【課題】複数の半導体レーザを使用した光源で、蛍光体の発光効率低下を抑制し、簡易に組み立て可能な光源装置、及びこの光源装置を用いたプロジェクタを提供する。【解決手段】光源装置１は、半導体レーザ１２及び半導体レーザから出射された光を略平行光とするコリメートレンズ１３を有する複数の光源が、各光源からの出射光が同じ向きの略平行光となるよう配置された複数の筐体１０と、複数の筐体からの出射光を蛍光体３２に向けて集光する集光レンズ２０と、蛍光体を有し、集光レンズからの光を透過させる蛍光体ホイール３０と、を備え、半導体レーザのファーフィールドパターンの領域の光が蛍光体に集光され、筐体からの出射光の集光レンズの光軸に対する入射角度を異ならせるように、筐体が同一の支持部材６０に取り付けられ、複数の筐体が、支持部材に固定されたとき半導体レーザの載置面が支持部材の取り付け面に対して傾斜した略同一の形状を有する。【選択図】図１
2020079925.tif 000002
【特許請求の範囲】
【請求項１】
半導体レーザ及び該半導体レーザから出射された光を略平行光とするコリメートレンズを有する複数の光源が、各光源からの出射光が同じ向きの略平行光となるように配置された複数の筐体と、
前記複数の筐体からの出射光を蛍光体に向けて集光する集光レンズと、
前記蛍光体を有し、前記集光レンズからの光を透過させる蛍光体ホイールと、
を備え、
前記半導体レーザのファーフィールドパターンの領域の光が前記蛍光体に集光され、
前記筐体からの出射光の前記集光レンズの光軸に対する入射角度を異ならせるように、前記筐体が同一の支持部材に取り付けられており、
前記複数の筐体が、前記支持部材に固定されたとき前記半導体レーザの載置面が前記支持部材の取り付け面に対して傾斜した略同一の形状を有していることを特徴とする光源装置。
【請求項２】
請求項１に記載の光源装置と、
画像データに基づいて、前記光源装置から出射された複数の波長帯域の光を順次変調して画像を形成する光変調手段と、
前記画像を拡大して投射する投射手段と、
を備えたことを特徴とするプロジェクタ。
【発明の詳細な説明】
【技術分野】
【０００１】
本発明は、光源装置及びこの光源装置を備えたプロジェクタに関する。
【背景技術】
【０００２】
近年、時分割で複数の波長の光を取り出し、取り出された複数の波長の光を順次変調することで画像を形成して投影する時分割式のプロジェクタが普及している。このような時分割式のプロジェクタに用いる光源装置として、例えば、白色光を出力する光源と、複数のカラーフィルタが貼られた回転ホイールとを備えて、光源から出射された白色光を、一定速度で回転する回転ホイールに入射させて、時分割で複数の波長の光（例えば、青、緑、赤色光）を取り出すものが知られている。
【０００３】
また、半導体レーザを始めとする単波長の光を出力する光源により、カラーフィルタの代わりに蛍光体層を有する回転ホイールを用いて、これに半導体レーザ等の光源から出射された単波長の光を入射させることで、時分割で複数の波長の光を取り出す光源装置も提案されている。例えば、青色の半導体レーザから出た光を蛍光体により、緑や赤の光に波長変換することができる。その中には、特許文献１に示すように、レーザ光源の角度を光軸方向に回転させて取り付けることで、蛍光体へ集光した時のレーザ光源の略楕円形状を広げて、プロジェクタ投射時に均一な明るさにする方法が提案されている。
【０００４】
また、特許文献２に示すように、複数のレーザ光源の配置間隔と出射面側に設置されたコリメータレンズのレンズ間隔とをずらすことで、蛍光体上での集光点が半導体レーザごとで異なるようにして光密度を下げて、蛍光体を励起する方法が提案されている。
【先行技術文献】
【特許文献】
【０００５】
【特許文献１】特開２０１１−１３３７８２号
【特許文献２】特開２０１２−２１５６３３号
【発明の概要】
【発明が解決しようとする課題】
【０００６】
特許文献１に示された光源装置のように、半導体レーザの光軸方向に回転させて配置する場合、個々のレーザの回転方向を調整する必要がある。また、集光点位置が同じであるため中心の光密度が高く、蛍光体の発光効率が低下するといった問題がある。また、特許文献２に示された光源装置の場合、集光点位置がレーザ光源ごとに異なるので集光点位置を変えることができるが、コリメートレンズから出射した平行光は集光径が小さいため光密度が高く、蛍光体の発光効率が低下するといった課題がある。
【０００７】
従って、本発明の目的は、上記の課題を解決するものであり、複数の半導体レーザを使用した光源において、蛍光体の発光効率低下を抑制し、簡易に組み立て可能な光源装置、ひいてはこの光源装置を用いたプロジェクタを提供することにある。
【課題を解決するための手段】
【０００８】
上記の課題を解決するため、本発明に係る光源装置の１つの実施態様では、
半導体レーザ及び該半導体レーザから出射された光を略平行光とするコリメートレンズを有する複数の光源が、各光源からの出射光が同じ向きの略平行光となるように配置された複数の筐体と、
前記複数の筐体からの出射光を蛍光体に向けて集光する集光レンズと、
前記蛍光体を有し、前記集光レンズからの光を透過させる蛍光体ホイールと、
を備え、
前記複数の筐体の支持部材に対する取り付け角度を異ならせることで、前記筐体からの出射光の前記集光レンズの光軸に対する入射角度を異ならせている。
【０００９】
本発明に係るプロジェクタの１つの実施態様では、上記の実施態様の光源装置と、画像データに基づいて、前記光源装置から出射された複数の波長帯域の光を順次変調して画像を形成する光変調手段と、前記画像を拡大して投射する投射手段と、を備えている。
【発明の効果】
【００１０】
以上のように、本発明においては、複数の半導体レーザを使用した光源で、蛍光体の発光効率低下を抑制し、簡易に組み立て可能な光源装置、ひいてはこの光源装置を用いたプロジェクタを提供することができる。
【図面の簡単な説明】
【００１１】
【図１】本発明の光源装置の１つの実施形態を示す（ａ）模式図、及び（ｂ）軸説明図である。
【図２】筐体の取り付け面を傾斜させた本発明の第１の実施形態を説明するための模式図である。
【図３】第１の実施形態における集光領域の形状及び光強度分布（断面光強度）を示す図である。
【図４】コリメートレンズの位置を変えた本発明の第２の実施形態を説明するための模式図、並びに集光領域の形状及び光強度分布（断面光強度）を示す図である。
【図５】本発明の蛍光ホイールの１つの実施形態を示す模式図である。
【図６】本発明の第１の実施形態及び第２の実施形態を組み合わせた場合の蛍光体光強度と、その他の場合の蛍光体光強度とを示すグラフである。
【図７】発明の光源装置を備えたプロジェクタの構成を示す模式図である。
【発明を実施するための形態】
【００１２】
本発明に係る光源装置の実施態様１では、
半導体レーザ及び該半導体レーザから出射された光を略平行光とするコリメートレンズを有する複数の光源が、各光源からの出射光が同じ向きの略平行光となるように配置された複数の筐体と、
前記複数の筐体からの出射光を蛍光体に向けて集光する集光レンズと、
前記蛍光体を有し、前記集光レンズからの光を透過させる蛍光体ホイールと、
を備え、
前記複数の筐体の支持部材に対する取り付け角度を異ならせることで、前記筐体からの出射光の前記集光レンズの光軸に対する入射角度を異ならせている。
【００１３】
本実施態様によれば、複数の筐体から出射された光は、集光レンズにより蛍光体ホイール上（つまり蛍光体上）のそれぞれ異なる位置に集光される。従って、蛍光体上の集光領域での光密度を抑えることができるため、蛍光体からの出射光を効率よく利用することが可能となる。
また、筐体の支持部材に対する取り付け角度を異ならせるだけで、上記を実現できるので、生産性を犠牲にすることなく製造が可能となる。
このため、蛍光体の発光効率低下をできる限り抑制し、かつ簡易な組立を実現して量産性を犠牲にすることなく製造可能な光源装置を提供することができる。
【００１４】
本発明に係る光源装置の実施態様２では、上記の実施態様１において、
前記光源において、前記コリメートレンズの前記半導体レーザに対する取り付け位置が、前記コリメートレンズから平行光を出射させるためのレンズ取り付け位置からずれている。
【００１５】
本実施態様によれば、各光源において、半導体レーザに対するコリメートレンズの位置をずらすことで、コリメートレンズから出射された光は平行光からずれるため、蛍光体上の集光領域での集光径を大きくしながらも、複数の半導体レーザの集光点位置ずれは小さくすることができる。
つまり、同一の筐体に備えられた半導体レーザの光は略同一位置に集光されるが、集光径の拡大により光密度を下げている。よって、集光領域の光密度を抑えることができるため、蛍光体からの出射光を効率よく利用することが可能となる。ただし、１つの筐体内の半導体レーザ１つ１つの集光点位置はわずかにしか変わらないため、全体として集光領域の面積拡大を適度に抑制できる。
また、光源装置の実施態様１及び２を組み合わせることにより、複数の筐体から出射された光は蛍光体上でそれぞれ異なる位置に集光され、かつ１つ１つの筐体からの光の集光径は大きいため、十分に光密度を低く抑えることができ、蛍光体の発光効率低下を十分に抑制することできる。
【００１６】
本発明に係る光源装置の実施態様３では、上記の実施態様１または２において、
前記筐体において、前記光源が前記半導体レーザのファーフィールドパターンにおける短軸方向に整列しており、
前記筐体の取り付け角度は、前記ファーフィールドパターンの長軸を中心に回転する方向に角度が変えられている。
【００１７】
本実施態様によれば、筐体において、各光源はファーフィールドパターンにおける短軸方向に整列しており、筐体の支持部材に対する取り付け角度は、ファーフィールドパターンの長軸を中心に回転する方向に角度が変えられるので、各光源から出射された光が互いに干渉することなく、適切に集光領域で光密度を抑えることができる。
【００１８】
本発明に係る光源装置の実施態様４では、上記の実施態様１〜３の何れかにおいて、
前記筐体は同一の前記支持部材に固定されており、前記筐体の前記支持部材との取り付け面が傾斜している。
【００１９】
本実施態様によれば、筐体の支持部材との取り付け面を傾斜させるだけで、確実に集光領域で光密度を抑えることができ、生産性を犠牲にすることなく製造が可能となる。
【００２０】
本発明に係る光源装置の実施態様５では、上記の実施態様４において、
隣接する２つの前記筐体を前記支持部材に固定するとき、前記筐体からの出射光の略光軸方向を回転中心として、該隣接する２つの筐体を相対的に１８０度回転させて固定される。
【００２１】
本実施態様によれば、支持部材との取り付け面が傾斜した同一形状の筐体を用いて、取り付ける角度を相対的に１８０度回転させて（言い換えれば、一定の回転方向において、１８０度度回転させて）固定することで、各筐体からの出射光の集光レンズの光軸に対する入射角度を異ならせることができる。よって、非常に簡単な構造を用いて、確実に集光領域で光密度を抑えることができる。
【００２２】
本発明に係る光源装置の実施態様６では、上記の実施態様４において、
隣接する４つの前記筐体を前記支持部材に固定するとき、前記筐体からの出射光の略光軸方向を回転中心として、該隣接する２つの筐体を相対的に９０度回転させて固定される。
【００２３】
本実施態様によれば、支持部材との取り付け面が傾斜した同一形状の筐体を用いて、取り付ける角度を相対的に９０度回転させて（言い換えれば、１つの筐体を基準に、一定の回転方向において、９０度、１８０度、２７０度回転させて）固定することで、各筐体からの出射光の集光レンズの光軸に対する入射角度を異ならせることができる。よって、非常に簡単な構造を用いて、確実に集光領域で光密度を抑えることができる。
【００２４】
本発明に係る光源装置の実施態様７では、上記の実施態様１〜３の何れかにおいて、
前記筐体は同一の前記支持部材に固定されており、前記支持部材の前記筐体の取り付け面が傾斜している。
【００２５】
本実施態様によれば、支持部材の筐体の取り付け面が傾斜して形成することにより、各筐体からの出射光の集光レンズの光軸に対する入射角度を異ならせることができる。このため、一度支持部材をこのように形成すれば、筐体の形状が単純になるので、メンテナンス等で筐体を交換する場合にも、安価に容易に行うことができる。
【００２６】
本発明に係る光源装置の実施態様８では、上記の実施態様４〜７の何れかにおいて、
前記筐体または前記支持部材の取り付け面の傾斜角度が、０．２５〜２度である。
【００２７】
本実施態様によれば、傾斜角度が０．２５〜２度なので、集光領域の面積をむやみに大きくすることなく、光密度を抑えることができる。
【００２８】
本発明に係る光源装置の実施態様９では、上記の実施態様１〜８の何れかにおいて、
前記支持部材が放熱部材である。
【００２９】
本実施態様によれば、支持部材が放熱部材なので、筐体を効率的に冷却でき、かつ部品点数を抑制して、光源装置の小型化を促進することができる。
【００３０】
本発明に係る光源装置の実施態様１０では、上記の実施態様１〜９の何れかにおいて、
前記筐体からの出射光の波長帯域が、３７０〜５００ｎｍである。
【００３１】
本発明に係る光源装置の実施態様１１では、上記の実施態様１〜１０の何れかにおいて、
蛍光体のうちの一つは、赤色光を含む光で発光する蛍光体である。
【００３２】
本発明に係るプロジェクタの第１の実施形態では、上記の実施態様１〜１１の何れかの実施形態の光源装置と、
画像データに基づいて、前記光源装置から出射された複数の波長帯域の光を順次変調して画像を形成する光変調手段と、
前記画像を拡大して投射する投射手段と、
を備えている。
【００３３】
本実施態様によれば、蛍光体の発光効率低下をできる限り抑制し、かつ簡易な組立が実現して量産性を犠牲にすることなく製造可能なプロジェクタを提供することができる。
次に、本発明の光源装置及びこの光源装置を備えたプロジェクタについて、以下に図面を用いながら詳細に説明する。
【００３４】
（光源装置の概要の説明）
まず、図１を参照しながら、本発明に係る光源装置の一実施形態について説明する。なお、図１は、本発明の光源装置の１つの実施形態を示す図１（ａ）は光源装置の模式図であり、図１（ｂ）は光源装置の軸説明図（図１（ａ）の矢印Ａ−Ａからみた断面矢視図）である。図１（ａ）に示すように、本実施形態の光源装置１は、光源部である筐体１０、集光レンズ２０、蛍光板ホイール３０、受光レンズ４０、回転駆動部５０及び放熱板６０を備える。
本実施形態では、筐体１０から青色光が出射され、出射された青色光は集光レンズ２０に入射し、集光レンズ２０で集光されて（詳細は後述する）、回転駆動部５０によって回転する蛍光板ホイール３０に入射する。蛍光板ホイール３０は、光が透過する材料で構成され、入射側表面に誘電体膜３１が、出射側表面に蛍光体層３２が同心円状に形成されている。更に詳細に述べれば、出射側表面に緑蛍光体領域、赤蛍光体領域及び青透過領域が同心円状に設けられている。緑蛍光体は青色光が入射すると緑色光を発し、赤蛍光体は青色光が入射すると赤色光を発する。よって、集光レンズ２０から青色光が蛍光板ホイール３０に入射すると、蛍光板ホイール３０から時分割で、緑色光、赤色光及び青色光が出射され、受光レンズ４０に入射する。そして、受光レンズ４０で集光されて、光源装置１から出射される。
なお、本実施形態で用いる半導体レーザ１２の波長は、３７０〜５００ｎｍ内の光を発することが望ましく、４２０〜５００ｎｍ内の光を発することが更に望ましい。
【００３５】
支持部材である放熱板６０の取り付け面に、複数の筐体１０が取り付けられている。なお、図１では、実線で１つの筐体1０を示し、破線でその他の筐体１０を示している。各々の筐体１０において、青色光を出射する半導体レーザ１２及びこの半導体レーザ１２から出射された光を略平行光とするコリメートレンズ１３を有する光源が、筐体の本体１１に複数設けられて構成され、１つの筐体１０の中で、各光源からの出射光が同じ向きの略平行光となるように配置されている。各筐体１０は、筐体ごとに放熱板（支持部材）６０に対する取り付け角度を異ならせて取り付けられている（図１の実線で示した筐体１０と破線で示した筐体１０参照）。これにより、各筐体１０からの出射光の光軸１４は、集光レンズ２０の光軸２１と平行でなく、筐体１０によって、それぞれ異なる入射角度で集光レンズ２０に入射する。これにより、図１の実線及び破線で示すように、集光レンズ２０で蛍光板ホイール３０の位置で集光されるが、各筐体１０ごとに、それぞれ異なる位置に集光される。なお、図１では、蛍光板ホイール３０の入射側表面に設けられた誘電体膜３１の表面位置で集光されるように描かれているが、誘電体膜３１は非常に薄く、蛍光板ホイール３０で光が集光されたり拡散されたりしないので、「蛍光体３２上でそれぞれ異なる位置に集光される」ということができる。
筐体に関する実施形態の詳細な説明は後述する。
【００３６】
上述のように、蛍光体ホイール３０は、入射側表面に誘電体膜３１が、出射側表面に蛍光体層３２が同心円状に形成されている。図５に蛍光体ホイールの模式図を示す。図５（ａ）は蛍光体ホイールの入射側を、図５（ｂ）は蛍光体の出射側を示している。蛍光体ホイール３０には、緑蛍光体領域、赤蛍光体領域及び青透過領域が設けられている。緑蛍光体領域は、入射側に、青色光を透過し緑色光を反射する誘電体膜３１Ｇが形成されており、基板の出射側に、緑の波長帯域を有する蛍光体３２Ｇが塗布されている。同様に、赤蛍光体領域には、入射側に、青色光を透過し赤色光を反射する誘電体膜３１Ｒが形成されており、出射側に、赤の波長領域を有する蛍光体３２Ｒが塗布されている。青色透過領域には、入射側に、青色光を透過する誘電体膜３１Ｂが形成されており、出射側には蛍光体は塗布されていないが、入射側と同様に青色光を透過する誘電体膜３２Ｂが形成されていてもよい。また、輝度ムラ及び色度ムラを改善するために、散乱体、例えばＳｉＯ２やＴｉＯ２、Ｂａ２Ｓｏ４等の粒子が塗布されていることが望ましい。
【００３７】
蛍光体ホイール３０の緑及び赤蛍光体領域に形成されている誘電体膜３１Ｇ、３１Ｒは、青色光を透過し、かつそのそれぞれの領域の色に応じた波長を反射する膜とすることで、蛍光体３２Ｇ、３２Ｒから半導体レーザ１２側に出射した蛍光体光を、受光レンズ４０側に反射させることができ、これにより効率よく蛍光体光を利用することができる。
【００３８】
蛍光体ホイール３０の緑蛍光体領域に塗布されている蛍光体３２Ｇは、波長帯域が約５００〜５６０ｎｍを含む緑色の蛍光を発生させることが望ましい。具体的な材料の一例としては、β−Ｓｉ６−ＺＡｌＺＯＺＮ８−Ｚ：Ｅｕ、Ｌｕ３Ａｌ５Ｏ１２：Ｃｅ、Ｃａ８ＭｇＳｉ４Ｏ１６Ｃｌ２：Ｅｕ、Ｂａ３Ｓｉ６Ｏ１２Ｎ２：Ｅｕ、（Ｓｒ，Ｂａ，Ｃａ）Ｓｉ２Ｏ２Ｎ２：Ｅｕなどを挙げることができる。
【００３９】
蛍光体ホイールの赤蛍光体領域に塗布されている蛍光体３２Ｒは、波長帯域が６００〜８００ｎｍを含む赤色の傾向を発生させることが望ましい。具体的な材料の一例としては、（Ｓｒ，Ｃａ）ＡｌＳｉＮ３：Ｅｕ、ＣａＡｌＳｉＮ３：Ｅｕ、ＳｒＡｌＳｉＮ３：Ｅｕ、Ｋ２ＳｉＦ６：Ｍｎなどを挙げることができる。
【００４０】
蛍光体ホイール３０における、緑・赤蛍光体領域及び青色透過領域の割合は、任意に決定することができる。例えば、プロジェクタとして要求される白色の色度及び各蛍光体等の効率などから算出することができる。ここでは緑及び赤蛍光体領域緑をそれぞれ１５０度、青透過領域を６０度としている。
また、本実施形態では、緑・赤・青の３領域としているが、４つ以上の領域としてもよい。青色と黄色による白色光領域や、緑・赤・青の領域を増やしてそれぞれ２つずつとしてもよい。
【００４１】
蛍光体ホイール３０は、光を透過させる透明な円板状の部材からなり、その中心は駆動体５０の駆動軸５０ａに固定されている。ここで、蛍光体ホイール３０の素材は、光の透過率が高い素材であれば、ガラス、樹脂、サファイア等を使用することができる。また、図５（ａ）において”ＳＰ”で示す領域は、集光レンズ２０によって集光された筐体１０からの入射光が当たる領域（集光領域）を示している。更に、図５（ｂ）において”ＦＬ”で示す領域は、筐体１０からの入射光よって蛍光体層が発光する領域（蛍光領域）を示している。
なお、蛍光体ホイール３０の出射側に更に１枚の基板を加え、そこにバンドパスフィルターを設けてもよい（図示せず）。これにより、より純粋な緑や赤色を得ることができる。
【００４２】
図１の説明に戻り、回転駆動部５０は、ブラシレス直流モータであり、駆動軸５０ａと集光レンズ２０の光軸２１ａとが平行になるように配置されている。また、駆動軸５０ａに対して蛍光体ホイール３０の面が垂直となるように固定されている。回転駆動部５０の回転速度は、再生する動画のフレームレート（１秒当たりのフレーム数。単位は［ｆｐｓ］）に基づく回転速度となる。例えば、６０［ｆｐｓ］の動画を再生可能とする場合、回転駆動部５０（つまり蛍光体ホイール３０）の回転速度は、毎秒６０回転の整数倍に定めるとよい。
【００４３】
蛍光体ホイール３０から出射した光は、受光レンズ４０により集光されて、光源装置１から出射される。この光源装置１をプロジェクタの光源として用いる場合、光源装置１からの出射光を、変調手段へと集光し、変調手段で形成された画像を投射手段で拡大してスクリーンに投射する。このとき変調手段で形成された画像サイズと、投射手段より投射される光の広がり角との関係から算出されるエタンデュー（Etendue）は、受光レンズ４０のＮＡ及び蛍光体の発光領域の大きさに影響する。
つまり、
（変調手段により形成された画像サイズ）×（投射角度）＝（蛍光領域ＦＬ）×（受光レンズＮＡ）
となる。よって、蛍光体の発光が略ランバーシアンであることから、受光レンズ４０はできる限り高いＮＡであることが望ましい。また、蛍光領域ＦＬは小さいことが望ましい。投射側のエタンデューよりも蛍光体側のエタンデューが大きい場合、その差分は効率低下となる。
【００４４】
上述したとおり、受光レンズ４０のＮＡが高いため、蛍光領域ＦＬはできる限り小さいことが望ましい。しかしその場合、筐体１０からの光密度が高くなってしまう。本実施形態においては、蛍光領域ＦＬの大きさは２ｍｍ程度が望ましいため、筐体１０からの光は、集光領域ＳＰの大きさとして２ｍｍ以下が望ましい。なおこの形状は、個々の筐体１０の集光領域の大きさではなく、複数の筐体１０を取り付けた状態での、全体の集光領域の大きさである。
【００４５】
（筐体の説明）
次に、図１から図３を用いて、本発明の一実施形態に係る筐体の説明を行う。この筐体に関する説明では、各々の筐体の放熱板（支持部材）６０に対する取り付け角度を異ならせることで、筐体１０からの出射光の集光レンズ２０の光軸に対する入射角度を異ならせる第１の実施形態の説明と、コリメートレンズ１３の半導体レーザ１２に対する取り付け位置を、コリメートレンズ１３から平行光を出射させるためのレンズ取り付け位置（焦点位置）からずらす第２の実施形態の説明とを含む。
【００４６】
（第１の実施形態の説明）
はじめに、筐体に関する本発明の第１の実施形態について、図１から図３を用いて説明する。図１(ａ）に示すように、半導体レーザ１２から出射された拡散光のファーフィールドパターンにおける短軸（Ｘ軸）方向に、半導体レーザ１２が整列しており、筐体１０の取り付け角度は、ファーフィールドパターンの長軸（Ｙ軸）を中心に回転する方向に角度が変えられている。図１(ａ）では、垂直方向がＹ軸方向となる。ここで、図１（ａ）の矢印Ａ−Ａから見た断面矢視図である軸説明図（図１（ｂ）参照）に、ファーフィールドパターンにおける短軸（Ｘ軸)及び長軸（Ｙ軸）を示す。
なお、図１（ａ）では、短軸（Ｘ軸）方向に４つの光源（半導体レーザ１２とコリメートレンズ１３の対）が並んでいるが、１列の場合だけではなく、図２に示すように、４つの光源が短軸（Ｘ軸）方向に並んだ列が２列ある形態でもよく、さらに３列以上ある形態でもよい。
【００４７】
上述のように、筐体１０の取り付け角度は、出射光が集光レンズ２０の光軸２１に対して平行に入射する角度から、長軸（Ｙ軸）を中心とした回転方向において角度が変えられている。よって、筐体１０から出射された光は、取り付け角度（傾斜角度）に相当する入射角で集光レンズ２０に入射する。つまり取り付け角度（傾斜角度）だけ、光軸２１に対して角度をつけて集光レンズ２０に入射する。この取り付け角度（傾斜角度）、つまり入射角度（集光レンズ２０の光軸２１に対する角度）としては、絶対値で０．２５〜２度が望ましい。
もし、筐体１０から出射された光が、集光レンズ２０の光軸２１に対して平行に入射した場合には、光軸２１上の点に集光されるが、所定の入射角度で集光レンズ２０に入射する場合には、図１（ａ）に示すように、異なる位置に集光する。よって、各筐体１０の取り付け角度を異ならせれば、全て異なる位置に集光する。しかし、傾斜角度が絶対値で０．２５〜２度の範囲であれば、蛍光ホイール３０（蛍光体）における集光領域ＳＰ（図５（ａ）参照）の面積が大きくなりすぎることはない。
【００４８】
次に、図２を用いて、筐体１０を傾けて支持部材である放熱板６０に取り付ける一実施態様を説明する。図２(a)では、短軸（Ｘ軸）方向（図で上下方向）に４つの光源が並んだ列が２列ある筐体１０が２つ隣接して配置されており（Ｍ及びＮ参照）、Ｍ及びＮで示された２つの筐体１０は放熱板６０の取り付け面に対して傾斜は付けられていない。つまり、図２（ａ）の矢印Ｂ−Ｂから見た側面形状のように、筐体１０は矩形の側面形状を有しており、放熱板６０の取り付け面に対して、筐体１０の取り付け面及び出射面は平行に配置されている。よって、放熱板６０の取り付け面が、集光レンズ２０の光軸２１に対して垂直に配置されていれば、筐体１０から、集光レンズ２０の光軸２１と平行な方向に光が出射される。この場合の集光レンズ２０により集光された集光領域ＳＰにおける集光点形状（Ｍ’及びＮ’参照）及びその光強度分布（断面光強度）を示すグラフを、図３（ａ）に示す。なお、Ｍで示す筐体１０からの集光点形状ＭとＮで示す筐体１０からの集光点形状Ｎ’とは重なり合っている。このグラフから明らかなように、筐体１０から出射された光は、１点に集光されるので、短軸（Ｘ軸）方向及び長軸（Ｙ軸）方向ともに高い光ピーク強度を示し、集光領域ＳＰの光密度が高くなっていることがわかる。
【００４９】
図２の説明に戻り、図２(ｂ)では、短軸（Ｘ軸）方向（図で上下方向）に４つの光源が並んだ列が２列ある、Ｐ及びＱで示された筐体１０が２つ隣接して配置されている。Ｐ及びＱで示された各筐体１０は、同じ形状を有しており、放熱板６０へ取り付ける取り付け面が傾斜した側面形状を有している。ここで、Ｐで示した筐体１０を例に説明すると、図２（ｂ）の矢印Ｃ−Ｃから見た側面形状のように、筐体１０は放熱板６０への取り付け面が所定の角度だけ傾斜した形状を有している。なお、この傾斜する角度は、上述のように０．２５〜２度が望ましいが、図２ではそれよりも傾斜を強調して表してある。これにより、放熱板６０の取り付け面が集光レンズ２０の光軸２１に対して垂直に配置されている場合、Ｐで示す筐体１０から出射した光は、集光レンズ２０の光軸２１に対して、所定の傾斜角に相当する入射角で入射する。つまり所定の角度だけ、光軸２１に対して角度をつけて集光レンズ２０に入射する。集光レンズ２０の光軸２１の方向と一致する図面に対して垂直な方向と比べると、下側に傾いて光が出射されることになる。
一方、同じ形状（取り付け面が所定の角度だけ傾斜した形状）を有している、隣接したＱで示される筐体１０は、筐体１０からの出射光の略光軸方向を回転中心として、隣接するＰで示す筐体１０に対して相対的に１８０度回転させた位置で固定される。これにより、集光レンズ２０の光軸２１の方向と一致する図面に対して垂直な方向と比べると、上側に傾いて光が出射されることになる。集光レンズ２０の光軸２１に対しては、所定の角度に相当する入射角で入射する（つまり所定の角度だけ、光軸２１に対して角度をつけて集光レンズ２０に入射する）。
【００５０】
この場合の集光レンズ２０で集光された集光領域ＳＰにおける集光点形状（Ｐ’及びＱ’参照）及びその光強度分布（断面光強度）を示すグラフを、図３（ｂ）に示す。Ｐで示される筐体２０からの光が図面で下側の位置に集光されて集光点形状Ｐ’を形成し、Ｑで示される筐体２０からの光が図面で上側の位置に集光されて集光点形状Ｑ’を形成する。筐体１０から出射された光は、１点に集光されることなく、２カ所に分散して集光されるので、図３（ｂ）のグラフから明らかなように、短軸（Ｘ軸）方向で２つのピークを持つ光強度分布となり、図３（ａ）の場合に比べて、光ピーク強度が低くなっている。
なお、図３（ａ）に示す集光点位置を１つにした場合の元の光ピーク強度をＰｏとすると、図３（ｂ）の場合のピーク強度は、
Ｐ＝Ｐｏ／（集光点位置数＝２）
となる。つまり、元の光ピーク強度Ｐｏを集光点位置の数で割った数値となるため、本例においては半分の光ピーク強度となる。
また、長軸（Ｙ軸）方向でほぼ均一な光強度分布となる。よって、傾いて取り付けられていない図２（ａ）に示す筐体１０に比べて、集光領域ＳＰの光密度が低くなっている。ただし、長軸（Ｙ軸）方向においては、ＰとＱの距離に応じて、ガウス分布となることがある。
【００５１】
図２の説明に戻り、図２(ｃ)では、短軸（Ｘ軸）方向（図で上下方向）に２つの光源が並んだ列が２列ある、Ｒ、Ｓ、Ｔ及びＵで示された筐体１０が４つ隣接して配置されている（Ｒ、Ｓ、Ｔ及びＵ参照）。Ｒ、Ｓ、Ｔ及びＵで示された各筐体１０は、同じ形状を有しており、放熱板６０へ取り付ける取り付け面が所定の角度傾斜した側面形状を有している。そして、Ｒで示される筐体１０を基準にすれば、Ｓ、Ｔ、Ｕの順に、筐体１０からの出射光の略光軸方向を回転中心として、相対的に反時計周りに、９０度、１８０度、２７０度回転させた位置で固定される。よって、放熱板６０の取り付け面が集光レンズ２０の光軸２１に対して垂直に配置されている場合、Ｒで示される筐体１０から、集光レンズ２０の光軸２１の方向と一致する垂直な方向と比べると、下側に傾いて光が出射され、Ｓで示される筐体１０から、垂直な方向と比べると、右側に傾いて光が出射されることになり、Ｔで示される筐体１０から、図面に対して垂直な方向と比べると、上側に傾いて光が出射され、Ｕで示される筐体１０から、図面に対して垂直な方向と比べると、左側に傾いて光が出射されることになる。何れの場合も、各筐体１０から出射した光は、集光レンズ２０の光軸２１に対して、所定の角度に相当する入射角で入射する（つまり所定の角度だけ、光軸２１に対して角度をつけて集光レンズ２０に入射する）。
【００５２】
この場合の集光レンズ２０により集光された集光領域ＳＰにおける集光点形状（Ｒ’、Ｔ’、Ｓ’及びＵ参照）及びその光強度分布（断面光強度）を示すグラフを、図３（ｃ）に示す。Ｒで示される筐体２０からの光が図面で下側の位置に集光されて集光点形状Ｒ’を形成し、Ｓで示される筐体２０からの光が図面で右側の位置に集光されて集光点形状Ｓ’を形成し、Ｔで示される筐体２０からの光が図面で上側の位置に集光されて集光点形状Ｔ’を形成し、Ｕで示される筐体２０からの光が図面で左側の位置に集光されて集光点形状Ｕ’を形成する。よって、筐体１０から出射された光は、１点に集光されることなく、４つの領域（Ｒ’、Ｔ’、Ｓ’及びＵ’）に分散して集光されるので、図３（ｃ）のグラフから明らかなように、短軸（Ｘ軸）方向及び長軸（Ｙ軸）方向で、それぞれ２つのピークを持つ光強度分布となる。なお、図３（ａ）に示す集光点位置を１つにした場合の元の光ピーク強度をＰｏとすると、図２（ｃ）の場合のピーク強度は、
Ｐ＝Ｐｏ／（集光点位置数＝４）
となる。つまり、元の光ピーク強度Ｐｏを集光点位置の数で割った数値となるため、本例においては１／４の光ピーク強度なる。
よって、図２（ａ）に示す実施形態に対応する図３（a）に比べて非常に低い光ピーク強度となり、図２（ｂ）に示す実施形態に対応する図３（ｂ）と比べてもより低い光強度となる。よって、傾いて取り付けられていない図２（ａ）に示す筐体１０に比べて、集光領域ＳＰの光密度が非常に低くなっている。
なお、図２（ｃ）に示す実施形態（図３（ｃ）のグラフ参照）において、最も光密度が低くなっているが、図２（ｂ）に示す実施形態（図３（ｂ）のグラフ参照）においても、図２（ａ）に示す場合（図３（ａ）のグラフ参照）に比べて、十分光密度が低くなっており、蛍光体の発光効率低下を十分抑制することができる。
【００５３】
以上のように、本実施形態では、複数の筐体が同一の放熱板（取り付け部材）６０に固定される場合に、放熱板（取り付け部材）６０に対する取り付け角度が異なっているので、集光レンズ２０の光軸２１に対する入射角度がそれぞれ異なる。よって、複数の筐体１０から出射された光は、集光レンズ２０により蛍光体ホイール３０上に集光されるが、蛍光体上でそれぞれ異なる位置に集光される。従って、集光領域ＳＰにおける光密度を抑えることができるため、蛍光体からの出射光を効率よく利用することが可能となる。
また、筐体１０の放熱板（取り付け部材）６０に対する取り付け角度を異ならせるだけで、これを実現できるので、生産性を犠牲にすることなく製造が可能となる。
このため、蛍光体の発光効率低下をできる限り抑制し、かつ簡易な組立が実現して量産性を犠牲にすることなく製造可能な光源装置１を提供することができる。
【００５４】
また、筐体１０において、各光源はファーフィールドパターンにおける短軸（Ｘ軸）方向に整列しており、筐体１０の取り付け角度は、ファーフィールドパターンの長軸（Ｙ軸）を中心に回転する方向に角度が変えられているので、各光源から出射された光が互いに干渉することなく、適切に集光領域ＳＰで光密度を抑えることができる。
【００５５】
更に、筐体１０の放熱板（取り付け部材）６０との取り付け面を傾斜させるだけで、確実に集光領域ＳＰでの光密度を抑えることができ、生産性においても犠牲にすることなく製造が可能となる。
【００５６】
特に、放熱板（取り付け部材）６０との取り付け面が傾斜した同一形状の筐体１０を用いて、取り付ける角度を相対的に１８０度回転させて（言い換えれば、一定の回転方向において、１８０度回転させて）固定することで、各筐体からの出射光の集光レンズの光軸に対する入射角度を異ならせることができる。よって、非常に簡単な構造を用いて、確実に集光領域ＳＰで光密度を抑えることができる。
【００５７】
特に、放熱板（取り付け部材）６０との取り付け面が傾斜した同一形状の筐体１０を用いて、取り付ける角度を相対的に９０度回転させて（言い換えれば、１つの筐体を基準に、一定の回転方向において、９０度、１８０度、２７０度回転させて）固定することで、各筐体からの出射光の集光レンズの光軸に対する入射角度を異ならせることができる。よって、非常に簡単な構造を用いて、確実に集光領域ＳＰで光密度を抑えることができる。
【００５８】
また、筐体１０の放熱板（取り付け部材）６０との取り付け面に対する傾斜角度が、０．２５〜２度とすれば、集光領域ＳＰの面積をむやみに大きくすることなく、光密度を抑えることができる。
【００５９】
更に、支持部材として、放熱板６０を用いているので、筐体１０を効率的に冷却することが可能で、かつ部品点数を抑制して、光源装置１の小型化を促進することができる。
【００６０】
＜第１の実施形態における変形例の説明＞
なお、上述の実施形態では、筐体１０の放熱板６０への取り付け面を傾斜させているが、これに限られるものではなく、支持部材である放熱板６０の筐体１０の取り付け面を傾斜させて、各筐体からの出射光の集光レンズの光軸に対する入射角度を異ならせることができる。この場合、筐体１０の取り付け面側は傾斜しておらず、矩形の側面形状を有することができる。  
このため、一度、支持部材である放熱板６０をこのように形成すれば、筐体１０の形状が単純になるので、メンテナンス等で筐体１０を交換する場合にも、安価に容易に行うことができる。
【００６１】
なお、上述の実施形態では、放熱板６０を筐体１０を取り付ける支持部材としたが、これに限られるものではなく、用途に応じて、他の任意の部材を支持部材とすることができる。
【００６２】
（第２の実施形態の説明）
次に、筐体に関する本発明の第２の実施形態について、図４を用いて説明する。本実施形態では、光源１において、コリメートレンズ１３の半導体レーザ１２に対する取り付け位置が、コリメートレンズ１３から平行光を出射させるためのレンズ取り付け位置からずれて配置されている。図４（ａ）には、コリメートレンズ１３から平行光を出射させる焦点位置に配置された場合を示す。図４（ｂ）は、コリメートレンズ１３を焦点位置から０．２ｍｍ程度半導体レーザ１２側に移動させて配置した場合を示す。つまり、コリメートレンズ１３の焦点位置に半導体レーザ１２が配置されている場合に比べて、両者の距離が０．２ｍｍ程度短くなっている。なお、図４（ａ）、（ｂ）のどちらの場合も、図１及び図２を用いて説明した筐体１０を放熱板（支持部材）６０に対して所定の角度だけ傾けて取り付けた構造で示している。
コリメートレンズ１３を焦点位置からずれ量は、０．１〜０．５ｍｍが望ましく、図４（ｂ）では、半導体レーザ１３側にずれているが、逆に集光レンズ２０側にずれている場合もあり得る。
【００６３】
図４（ａ）及び（ｂ）に示す配置において、集光レンズ２０により集光された集光領域ＳＰにおける集光点形状及びその光強度分布（断面光強度）を、図４（ｃ）及び（ｄ）に示す。
図４（ｃ）には、コリメートレンズ１２を焦点位置に配置した場合の集光点形状及び光強度分布（断面光強度）を示し、図４（ｄ）には、コリメートレンズ１２を焦点位置からずれて配置した場合の集光点形状及び光強度分布（断面光強度）を示す。
図４（ｃ）に示すコリメートレンズ１２を焦点位置に配置した場合と、図４（ｄ）に示すコリメートレンズ１２を焦点位置からずらして配置した場合とを比較すると、図４（ｄ）のような、焦点位置からずらして配置した場合には、図４（ｃ）の場合に比べて、集光領域ＳＰでの光の面積は大きくなり、かつ光ピーク強度も低くなっている。
【００６４】
ここでＰｏを、コリメートレンズ１３を焦点位置に配置した場合の集光領域ＳＰにおける光ピーク強度とすると、コリメートレンズ１３を焦点位置からずらした場合の集光領域ＳＰにおける光ピーク強度Ｐ‘は、
Ｐ‘＝Ｐｏ／（πｒ２／πｒ０２）
となる。ここでｒはコリメータレンズ１３を焦点位置に配置した場合の集光領域ＳＰにおける集光径の半径であり、ｒｏはコリメータレンズをずらして配置した場合の集光領域ＳＰにおける集光径の半径である。
図４（ｃ）における集光径の半径は０．１ｍｍ程度であり、図４（ｄ）における集光径の半径は１ｍｍ程度であるため、光ピーク強度は、コリメータレンズ１３を焦点位置からずらして配置した場合には、コリメータレンズ１３を焦点位置に配置した場合と比べて１／１００程度となる。
【００６５】
図４（ａ）及び（ｃ）に示す場合であっても、筐体１０を放熱板（支持部材）６０に対して所定の角度だけ傾けて取り付けた構造なので、複数の筐体１０による集光領域ＳＰにおける光密度を抑えることができるが、図４（ｂ）及び（ｄ）に示す場合には、下記のように、更に光密度を抑えることができる。
各光源において、半導体レーザ１２に対するコリメートレンズ１３の位置を焦点位置からずらす場合には、コリメートレンズ１２からの光は平行光からずれるため、蛍光体の集光点での集光径を大きくすることができ、かつ複数個の半導体レーザ１２の集光点位置ずれは小さくすることができる。
つまり、同一の筐体１０に備えられた半導体レーザの光は略同一位置に集光されるが、集光径の拡大により光密度を下げることができる。よって、蛍光体からの出射光を効率よく利用することが可能となる。ただし、１つの筐体１０内の半導体レーザ１つ１つの集光点位置はわずかにしか変わらないため、全体として集光領域ＳＰの拡大を適度に抑制できる。  
【００６６】
（第１及第２の実施形態の組み合わせに関する説明）
次に、筐体１０の取り付け角度を異ならせた本発明の第１の実施形態と、コリメートレンズ１３を焦点位置からずらして配置した本発明の第２の実施形態とを組み合わせた場合の蛍光体の出力について、図６のグラフを用いて説明する。
図６のグラフは、蛍光体の光出力と光源部１０の励起光出力との関係を示す。（Ａ）に示す点線は、図２(a)に示す傾斜が付いていない形態と図４（ｂ）に示すコリメートレンズが焦点位置からずれて配置されている形態とを組み合わせた形態の蛍光体出力を示し、（Ｂ）に示す一点鎖線は、図２(ｂ)に示す傾斜及び回転させた形態と図４（ｂ）に示すコリメートレンズが焦点位置からずれて配置されている形態とを組み合わせた形態の蛍光体出力を示し、（Ｃ）に示す実線は、図２(ｃ)に示す傾斜及び回転させた形態と図４（ｂ）に示すコリメートレンズが焦点位置からずれて配置されている形態を組み合わせた形態の蛍光体出力を示し、（Ｄ）に示すピッチが密な点線は、図２(ａ)に示す傾斜のない形態と図４（ａ）に示すコリメートレンズが焦点位置に配置されている形態とを組み合わせた形態の蛍光体出力を示す。
【００６７】
（Ｄ）のピッチが密な点線で示す、コリメートレンズが焦点位置に配置されかつ図２(a)に示す傾斜が付いていない形態においては、励起出力を上げていくと、蛍光体出力はピークを迎えて、逆に減少していく。（Ａ）の点線で示す、コリメートレンズが焦点位置からずれて配置されているが、図２(a)に示す傾斜が付いていない形態においては、図４（ｂ）に示すような効果はあるが、励起出力を上げていくと、蛍光体出力も上昇するが徐々に飽和していく。
一方で、（Ｂ）の一点鎖線または（Ｃ）の実線で示す、コリメートレンズが焦点位置からずれて配置され、図２（ｂ）または（ｃ）に示す傾斜及び回転させた形態においては、図４（ｂ）に示すような効果に加えて、図３（ｂ）、（ｃ）に示すような効果により、傾斜及び回転蛍光体出力の飽和を抑制し、光源部１０からの光の出力が高い場合においても、効果的に蛍光体を使用することができる。これは、集光領域ＳＰにおける光密度を低く抑えることができるので、蛍光体の発光効率低下を抑制するからである。（Ｂ）の一点鎖線のグラフ及び（Ｃ）の実線のグラフを比べると、図２（ｃ）及び図３（ｃ）に対応する（Ｃ）の実線に示す形態の方が、より効果的に蛍光体を使用することができるが、図２（ｂ）及び図３（ｂ）に対応する（Ｂ）の一点鎖線に示す形態であっても、従来に比べ、蛍光体出力に関する優れた性能を発揮することは明らかである。
【００６８】
よって、上述の第１の実施形態及び第２の実施形態を組み合わせることにより、複数の筐体１０から出射された光は蛍光体上でそれぞれ異なる位置に集光され、かつ１つ１つの筐体１０からの光の集光径は大きいため、十分に光密度を低く抑えることができ、蛍光体の発光効率低下を十分に抑制することできる。
【００６９】
以上のように、本発明の実施形態における光源装置１では、光源部１０の取り付け面を傾斜させかつ回転させて配置させることにより、複数の光源部１０の集光点位置をそれぞれずらして、蛍光体の集光領域での光密度を低減することができる。更に、コリメートレンズ１３の位置をずらすことにより、蛍光体の集光領域ＳＰでの形状を、エタンデューを犠牲にすることなく大きくして、光密度を下げることができる。これにより、蛍光体の光変換効率の低下を抑制し、効率的に蛍光体を使用することができる。更に、同一形状の筐体１０の配置を変えて組み込むことが可能であり、量産性を犠牲にすることもない。
【００７０】
なお、筐体１０の数は、上述の実施形態に限定されるものではなく、少なくとも２つ以上であれば任意の個数でよく、筐体１０内の半導体レーザ１２の数についても、少なくとも２つ以上であれば任意の個数でよい。また、上述の実施形態では、コリメートレンズ１３は１つの半導体レーザ１２に１つとなっているが、例えば、レンズアレイでもよい。
【００７１】
（本発明のプロジェクタの説明）
次に、図７を用いて、上述の実施形態で示した光源装置１を、いわゆる１チップ方式のＤＬＰプロジェクタにおける光源装置として用いる場合を説明する。なお、図７は、上述の実施形態で示した光源装置１を備えたプロジェクタ１００の構成を示すための模式図であって、光源装置１やプロジェクタ１００を上から見た模式的な平面図である。図７に示された光源装置１の２つの筐体１０は、上側に傾いて配置された筐体１０と下側に傾いて配置された筐体１０とが隣接して配置されており、これにより、２つの筐体１０からの出射光の集光レンズ２０の光軸に対する入射角度を異ならせている。なお、筐体１０は２つに限られるものではなく、上述のように、任意の数の筐体１０を備えることができる。
図７において、光源装置１から出射された光は、光空間変調器であるＤＭＤ（Digital Micromirror Device）素子１１０で反射され、投射手段である投射レンズ１２０によって集光されて、スクリーンＳＣに投影される。ＤＭＤ素子は、スクリーンに投影された画像の各画素に相当する微細なミラーをマトリックス状に配列したものであり、各ミラーの角度を変化させてスクリーンへ出射する光を、マイクロ秒単位でオン／オフすることができる。
また、各ミラーをオンにしている時間とオフにしている時間の比率によって、投射レンズへ入射する光の階調を変化させることにより、投影する画像の画像データに基づいた階調表示が可能になる。
【００７２】
なお、本実施形態では、光変調手段としてＤＭＤ素子を用いているが、これに限られるものではなく、用途に応じて、その他任意の光変調素子を用いることができる。また、本発明に係る光源装置１及びこの光源装置１を用いたプロジェクタは、上述した実施形態に限られるものではなく、その他の様々な実施形態が本発明に含まれる。
【００７３】
本発明の実施の形態を説明したが、開示内容は構成の細部において変化してもよく、実施の形態における要素の組合せや順序の変化等は請求された本発明の範囲および思想を逸脱することなく実現し得るものである。
【符号の説明】
【００７４】
１      光源装置
１０    筐体
１１    筐体の本体
１２    半導体レーザ
１３    コリメートレンズ
１４    半導体レーザの光軸
２０    集光レンズ
２１    集光レンズの光軸
３０    蛍光体ホイール
３１    誘電体膜
３２    蛍光体
４０    受光レンズ
５０    回転駆動体
５０ａ  回転軸
６０    放熱板（支持部材）
１００  プロジェクタ
１１０  ＤＭＤ素子
１２０  投射レンズ
ＳＣ    スクリーン
ＳＰ    集光領域
ＦＬ    蛍光体発光領域
【図１】
2020079925.tif 000003
【図２】
2020079925.tif 000004
【図３】
2020079925.tif 000005
【図４】
2020079925.tif 000006
【図５】
2020079925.tif 000007
【図６】
2020079925.tif 000008
【図７】
2020079925.tif 000009
【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
半導体レーザ及び該半導体レーザから出射された光を略平行光とするコリメートレンズを有する複数の光源が、各光源からの出射光が同じ向きの略平行光となるように配置された複数の筐体と、
前記複数の筐体からの出射光を蛍光体に向けて集光する集光レンズと、
前記蛍光体を有し、前記集光レンズからの光を透過させる蛍光体ホイールと、
を備え、
前記半導体レーザのファーフィールドパターンの領域の光が前記蛍光体に集光され、
前記筐体からの出射光の前記集光レンズの光軸に対する入射角度を異ならせるように、前記筐体が同一の支持部材に取り付けられており、
前記複数の筐体が、前記支持部材に固定されたとき前記半導体レーザの載置面が前記支持部材の取り付け面に対して傾斜した略同一の形状を有していることを特徴とする光源装置。
【請求項２】
前記光源において、前記コリメートレンズの前記半導体レーザに対する取り付け位置が、前記コリメートレンズから平行光を出射させるためのレンズ取り付け位置からずれていることを特徴とする請求項１に記載の光源装置。
【請求項３】
前記筐体において、前記光源が前記半導体レーザのファーフィールドパターンにおける短軸方向に整列しており、
前記筐体の取り付け角度は、前記ファーフィールドパターンの長軸を中心に回転する方向に角度が変えられていることを特徴とする請求項１または２に記載の光源装置。
【請求項４】
隣接する２つの前記筐体を前記支持部材に固定するとき、前記筐体からの出射光の略光軸方向を回転中心として、該隣接する２つの筐体を相対的に１８０度回転させて固定されることを特徴とする請求項１から３の何れか１項に記載の光源装置。
【請求項５】
隣接する４つの前記筐体を前記支持部材に固定するとき、前記筐体からの出射光の略光軸方向を回転中心として、該隣接する２つの筐体を相対的に９０度回転させて固定されることを特徴とする請求項１から４の何れか１項に記載の光源装置。
【請求項６】
前記支持部材に固定されたときの前記半導体レーザの載置面の前記支持部材の取り付け面に対する傾斜角度が、０．２５〜２度であることを特徴とする請求項１から５の何れか１項に記載の光源装置。
【請求項７】
前記支持部材が放熱部材であることを特徴とする請求項１から６の何れか1項に記載の源装置。
【請求項８】
前記筐体からの出射光の波長帯域が、３７０〜５００ｎｍであることを特徴とする請求項１から７の何れか１項に記載の光源装置。
【請求項９】
前記蛍光体のうちの一つは、赤色光を含む光で発光する蛍光体であることを特徴とする請求項１から８の何れか１項に記載の光学装置。
【請求項１０】
請求項１から９の何れか１項に記載の光源装置と、
画像データに基づいて、前記光源装置から出射された複数の波長帯域の光を順次変調して画像を形成する光変調手段と、
前記画像を拡大して投射する投射手段と、
を備えたことを特徴とするプロジェクタ。